【手続補正書】
【提出日】平成17年6月21日(2005.6.21)
【手続補正１】
【補正対象書類名】明細書
【補正対象項目名】発明の名称
【補正方法】変更
【補正の内容】
【発明の名称】移動体間通信システム、移動体間通信装置
【手続補正２】
【補正対象書類名】明細書
【補正対象項目名】特許請求の範囲
【補正方法】変更
【補正の内容】
【特許請求の範囲】
【請求項１】
それぞれ移動可能な受信装置と送信装置を含んで構成される移動体間通信システムであって、
前記受信装置は、
自装置の位置を検出する位置検出手段と、前記位置検出手段で検出した自装置の位置情報に基づいて、前記送信装置に対するリクエスト情報を生成するリクエスト生成手段と、前記リクエスト生成手段により生成されたリクエスト情報を前記送信装置へ送信し、前記送信装置から送信された画像情報を受信する通信手段とを備え、
前記送信装置は、
被写体像を撮像して画像情報を生成する撮像手段と、自装置の位置を検出する位置検出手段と、前記撮像手段により生成された画像情報に前記位置検出手段で検出した自装置の位置の情報を付加して記録する記録手段と、前記受信装置から送信されたリクエスト情報を受信し、前記リクエスト情報にしたがって前記記録手段から検索された画像情報を前記受信装置へ送信する通信手段とを備えることを特徴とする移動体間通信システム。
【請求項２】
画像受信装置としての機能を有する移動体間の通信装置であって、
自装置の位置を検出する位置検出手段と、
前記位置検出手段で検出した自装置の位置情報に基づいて、外部の送信装置に対するリクエスト情報を生成するリクエスト生成手段と、
前記リクエスト生成手段により生成されたリクエスト情報を前記送信装置へ送信し、前記送信装置から前記リクエスト情報に応じて送信された画像情報を受信する通信手段とを備えることを特徴とする移動体間通信装置。
【請求項３】
画像送信装置としての機能を有する移動体間の通信装置であって、
被写体像を撮像して画像情報を生成する撮像手段と、
自装置の位置を検出する位置検出手段と、
前記撮像手段により生成された画像情報に、前記位置検出手段で検出した自装置の位置の情報を付加して記録する記録手段と、
外部の受信装置から送信されたリクエスト情報を受信し、前記リクエスト情報に含まれる位置情報にしたがって前記記録手段から検索された画像情報を前記受信装置へ送信する通信手段とを備えることを特徴とする移動体間通信装置。
【請求項４】
前記通信手段は、前記リクエスト情報の内容に応じて送信する画像情報を変更可能であって、過去に撮像された画像情報を送信するときは、前記リクエスト情報に含まれる位置情報にしたがって前記記録手段から検索された画像情報を前記受信装置へ送信し、リアルタイムの画像情報を送信するときは、前記撮像手段により生成された画像情報に前記位置検出手段で検出した自装置の位置の情報を付加して前記受信装置へ送信することを特徴とする請求項３に記載の移動体間通信装置。
【手続補正３】
【補正対象書類名】明細書
【補正対象項目名】０００９
【補正方法】変更
【補正の内容】
【０００９】
本発明は、このような状況のもとでなされたもので、所望の画像情報を送、受信できる移動体間通信システムおよび移動体間通信装置を提供することを目的とするものである。
【手続補正４】
【補正対象書類名】明細書
【補正対象項目名】００１０
【補正方法】変更
【補正の内容】
【００１０】
【課題を解決するための手段】
前記目的を達成するため、本発明では、移動体間通信システムを次の（１）のとおりに構成し、移動体間通信装置を次の（２）ないし（４）のとおりに構成する。
（１）それぞれ移動可能な受信装置と送信装置を含んで構成される移動体間通信システムであって、
前記受信装置は、
自装置の位置を検出する位置検出手段と、前記位置検出手段で検出した自装置の位置情報に基づいて、前記送信装置に対するリクエスト情報を生成するリクエスト生成手段と、前記リクエスト生成手段により生成されたリクエスト情報を前記送信装置へ送信し、前記送信装置から送信された画像情報を受信する通信手段とを備え、
前記送信装置は、
被写体像を撮像して画像情報を生成する撮像手段と、自装置の位置を検出する位置検出手段と、前記撮像手段により生成された画像情報に前記位置検出手段で検出した自装置の位置の情報を付加して記録する記録手段と、前記受信装置から送信されたリクエスト情報を受信し、前記リクエスト情報にしたがって前記記録手段から検索された画像情報を前記受信装置へ送信する通信手段とを備える移動体間通信システム。
（２）画像受信装置としての機能を有する移動体間の通信装置であって、
自装置の位置を検出する位置検出手段と、
前記位置検出手段で検出した自装置の位置情報に基づいて、外部の送信装置に対するリクエスト情報を生成するリクエスト生成手段と、
前記リクエスト生成手段により生成されたリクエスト情報を前記送信装置へ送信し、前記送信装置から前記リクエスト情報に応じて送信された画像情報を受信する通信手段とを備える移動体間通信装置。
（３）画像送信装置としての機能を有する移動体間の通信装置であって、
被写体像を撮像して画像情報を生成する撮像手段と、
自装置の位置を検出する位置検出手段と、
前記撮像手段により生成された画像情報に、前記位置検出手段で検出した自装置の位置の情報を付加して記録する記録手段と、
外部の受信装置から送信されたリクエスト情報を受信し、前記リクエスト情報に含まれる位置情報にしたがって前記記録手段から検索された画像情報を前記受信装置へ送信する通信手段とを備える移動体間通信装置。
（４）前記通信手段は、前記リクエスト情報の内容に応じて送信する画像情報を変更可能であって、過去に撮像された画像情報を送信するときは、前記リクエスト情報に含まれる位置情報にしたがって前記記録手段から検索された画像情報を前記受信装置へ送信し、リアルタイムの画像情報を送信するときは、前記撮像手段により生成された画像情報に前記位置検出手段で検出した自装置の位置の情報を付加して前記受信装置へ送信することを特徴とする請求項３に記載の移動体間通信装置。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】